(57)【要約】      （修正有）【課題】書籍の見開き角度が調節可能な書見台およびこの書見台を備える読書スタンドを提供する。【解決手段】書見台は、平板状に形成された左右一対の書見台側板１０，１１と、左右一対の書見台側板１０，１１の間に配置された書見台背板９と、左右一対の書見台側板１０，１１と書見台背板９とを連結する一対のヒンジ１２，１３とを備え、一対のヒンジ１２，１３は、左右一対の書見台側板の一方（書見台側板１０）と他方（書見台側板１１）との成す角度を任意に調節可能に構成されている。【選択図】図２
0003204688.tif 000002
【実用新案登録請求の範囲】
【請求項１】
平板状に形成された左右一対の書見台側板と、
前記左右一対の書見台側板の間に配置された書見台背板と、
前記左右一対の書見台側板と前記書見台背板とを連結する一対のヒンジとを備え、
前記一対のヒンジは、前記左右一対の書見台側板の一方と他方との成す角度を任意に調節可能に構成されていることを特徴とする書見台。
【請求項２】
請求項１に記載した書見台と、
前記書見台背板と連結されて前記書見台を懸架する懸架部を有するスタンドと、
前記書見台における前記書見台背板の背面側と前記懸架部とを角度調節ネジで連結することにより、前記書見台背板と前記スタンドの設置面との成す角度を調節可能に構成された角度調節機構と、
を備えることを特徴とする読書スタンド。
【考案の詳細な説明】
【技術分野】
【０００１】
本考案は、書籍を閲覧する際に用いる書見台、及びそれを懸架してなる読書スタンドに関する。
【背景技術】
【０００２】
通常、読書スタンドは書見台とスタンドで構成され、書籍を固定し、閲覧(読書)をするために用いられる（特許文献1）。従来の読書スタンドは書籍を固定するに際し、書籍を１８０度に開くことが要請される。また、その使用形態にかかわらず、ページ押さえなどの機構を有することが一般的である（特許文献２、特許文献３）。
【先行技術文献】
【特許文献】
【０００３】
【特許文献１】特開２０１２−５０７９３号公報
【特許文献２】特開２０１１−３０９６５号公報
【特許文献３】特開２０１０−４６１０６号公報
【考案の概要】
【考案が解決しようとする課題】
【０００４】
従来の書見台は、書籍の見開き角度を調節して書籍を自然に開いた状態に保つことが難しかった。このため、書見台を読書に供する際には、書籍を１８０度に開いて書見台に固定するためにページ押さえを必要としていた。これにより、書籍に折り目がつく、製本状態を傷めやすい等という問題があった。また、ページめくりのたびにページ押さえを操作しなければならなかった。
また、従来の読書スタンドには、書籍の見開き角度と、見開き状態の書籍の背表紙と読書スタンドの設置面（床面等）との成す角度とを同時に調節可能なものはなかった。このため、例えば料理本を見ながら調理する際等に、使用者の位置や姿勢に合わせて床面と書籍の角度を自由に変えたいという要望を十分に実現できなかった。
【課題を解決するための手段】
【０００５】
上記課題を解決するために、本考案の一態様による書見台は、平板状に形成された左右一対の書見台側板と、前記左右一対の書見台側板の間に配置された書見台背板と、前記左右一対の書見台側板と前記書見台背板とを連結する一対のヒンジとを備え、前記一対のヒンジは、前記左右一対の書見台側板の一方と他方との成す角度を任意に調節可能に構成されていることを特徴とする。
【０００６】
また、上記課題を解決するために、本考案の一態様による読書スタンドは、本考案の一態様による書見台と、前記書見台背板と連結されて前記書見台を懸架する懸架部を有するスタンドと、前記書見台における前記書見台背板の背面側と前記懸架部とを角度調節ネジで連結することにより、前記書見台背板と前記スタンドの設置面との成す角度を調節可能に構成された角度調節機構と、を備えることを特徴とする。
【考案の効果】
【０００７】
本考案の一態様の書見台によれば、書籍の見開き角度が調節可能であり、ページ押さえを用いることなく書籍を自然に開いた状態に保つことができる。
また、本考案の一態様の読書スタンドによれば、書籍の見開き角度と、見開き状態の書籍の背表紙と床面との成す角度とを個別にまたは同時に、自在に調節できる。
【図面の簡単な説明】
【０００８】
【図１】本考案に係る読書スタンド１００の構成例を示す正面図である。
【図２】本考案に係る書見台１の構成例を示す背面図である。
【図３】本考案に係る書見台１の構成例を示す側面図である。
【図４】本考案に係る書見台１の見開き角度の一例を示す上面図である。
【図５】本考案に係る書見台１の見開き角度の他の一例を示す上面図である。
【図６】ホルダー２の構成例を示す図である。
【図７】接続部６の構成例を示す図である。
【考案を実施するための形態】
【０００９】
以下、本考案の実施の形態について詳細に説明する。なお、本考案は、以下の実施の形態に限定されるものではなく、その要旨の範囲内で種々変形して実施することができる。すなわち、実施の形態の例に記載されている構成部品の寸法、材質、形状、その相対的配置等は特に記載がない限り、本考案の範囲を限定する趣旨ではなく、単なる説明例に過ぎない。また、使用する図面は、本実施の形態を説明するための一例であり、実際の大きさを表すものではない。各図面が示す部材の大きさや位置関係等は、説明を明確にするため誇張していることがある。なお、以下に説明する各図において、同一の構成を有する部分には同一の符号を付し、その繰り返しの説明は省略する。
【００１０】
図１は、本考案による読書スタンド１００の構成例を示す正面図である。また、図２は本考案による書見台１の構成例を示す背面図であり、図３は本考案による書見台１の構成例を示す図であって、書見台１の右側面図である。
まず、本考案による書見台１の構成例について説明する。
【００１１】
図１および図２に示すように、書見台１は、平板状に形成された左右一対の書見台側板（書見台側板１０，１１）と、左右一対の書見台側板の間に配置された書見台背板９と、左右一対の書見台側板と書見台背板９とを連結する一対のヒンジ（ヒンジ１２，１３）とを備えている。詳しくは後述するが、ヒンジ１２，１３は、書見台側板１０と書見台側板１１との成す角度を任意に調節可能に構成されている。
【００１２】
書見台背板９は、縦寸法に対して幅寸法の短い縦長形状を有している。また、書見台背板９の縦寸法は、書見台側板１０，１１の縦寸法よりも短く形成されている。書見台背板９を幅方向に３分割した場合の左側３分の１に該当する領域は、書見台側板１０の右端部領域と重なる。また、書見台背板９の右側３分の１に該当する領域は、書見台側板１１の左端部領域と重なる。ただし、図１および図２に示すように、書見台側板１０および書見台側板１１は、書見台背板９と重なる領域が切欠かれている。これにより、書見台背板９の左右両端領域は、書見台側板１０および書見台側板１１の切欠き部分に嵌め合わされている。図２に示すように、書見台側板１０と書見台背板９との接続部分には、ヒンジ１２が設けられ、書見台側板１１と書見台背板９との接続部分には、ヒンジ１３が設けられている。書見台背板９は、ヒンジ１２およびヒンジ１３によって、書見台側板１０と書見台側板１１とに接続されている。なお、図１では、ヒンジ１２およびヒンジ１３の図示は省略している。
【００１３】
ここで、図２、図４および図５を用いて、ヒンジ１２およびヒンジ１３の構成例について説明する。図４は、書見台側板１０と書見台側板１１とが略面一の状態であるとき、つまり書見台側板１０と書見台側板１１との成す角度θ２が略１８０度であるときの状態を示す図である。また、図５は、角度θ２が略９０度であるときの状態を示す図である。
【００１４】
図２、図４および図５に示すように、ヒンジ１２は、書見台側板１０と書見台背板９との接続部分の内部に組み込まれている。また、ヒンジ１３は、書見台側板１１と書見台背板９との接続部分の内部に組み込まれている。これにより、ヒンジ１２およびヒンジ１３は、書見台１の外部からは視認されず、書見台１の外観を損なわないようになっている。図４および図５に示すように、書見台側板１０と書見台背板９との接続部分において、書見台側板１０と、書見台背板９の書見台側板１０側の端部とを上下に貫通するようにヒンジ１２の軸芯が設けられている。また、同様に、書見台側板１１と、書見台背板９の書見台側板１１側の端部とを上下に貫通するようにヒンジ１３の軸芯が設けられている。これにより、書見台側板１０と書見台側板１１とは、書見台背板９に対して回動可能に接続される。
【００１５】
ヒンジ１２およびヒンジ１３は、一般的な三面鏡の左右の鏡の角度を調節するヒンジと同等の構成を有する。このため、ヒンジ１２およびヒンジ１３は、書見台側板１０と書見台側板１１との成す角度を任意に調節可能に構成されている。これにより、図４および図５に示すように、書見台側板１０と書見台側板１１とを、それぞれ書見台背板９との接続部分を中心軸として回動させることで、書見台側板１０が書見台側板１１となす角度θ２を略１８０度から略９０度まで任意に調節可能である。
【００１６】
書見台１を読書に供する際は、書籍の形態（厚さや装丁等）に合わせて書見台側板１０および書見台側板１１を回動させ、書見台側板１０と書見台側板１１との成す角度θ２を調節する。これにより、書見台１の底板１４，１５に置いた書籍の見開き角度を略１８０〜９０度、望ましくは１６０〜１００度に調節することができる。このため、書見台１は、ページ押さえを用いることなく書籍を自然に開いた状態に保つことができる。また、書見台側板１０と書見台側板１１とは、書見台背板９に対して個別に回動させることができる。このため、書見台１は、読書の進行に合わせて書見台側板１０および書見台側板１１の回動角度を個別に調節することができる。これにより、読書の進行度合いに応じて、すなわち読了分のページ数と未読分のページ数とによって異なる見開き部分の左右の厚みに応じて、書籍の見開き角度を微調節することができる。
【００１７】
図１から図３に示すように、書見台側板１０には底板１４が設けられている。また、書見台側板１１の底部には底板１５が設けられている。底板１４および底板１５は、書籍を書見台１に置く際の置き台として用いられる。書見台１では、書籍の底部が底板１４および底板１５によって支持され、書籍の背表紙側が書見台背板９、書見台側板１０および書見台側板１１によって支持される。図３に示すように、底板１５は、書見台側板１１の底部において、書見台１の正面側に突出するように設けられている。また、図３では図示しないが、底板１４も同様に、書見台側板１０の底部において、書見台１の正面側に突出するように設けられている。
【００１８】
また、図４に示すように、底板１４は、書見台側板１０と書見台背板９との接続側に延伸するように取り付けられている。また、底板１５は、書見台側板１１と書見台背板９との接続側に延伸するように取り付けられている。底板１４および底板１５における書見台背板９側に延伸した部分は、底板１４および底板１５の幅を直径とする半円形状、または底板１４および底板１５の幅を長径とする楕円状の半円形状を有している。底板１４および底板１５の突出部分の幅は、書見台背板９の幅の５０％以下となるように構成される。これにより、例えば図４に示す状態から図５に示す状態へ、書見台側板１０および書見台側板１１を互いに近付けるように回動させると、底板１４および底板１５の延伸部分は互いに接触することなく、書見台背板９の裏側へ回り込むように移動する。このように、底板１４および底板１５は、書見台側板１０および書見台側板１１の回動を阻害しないようになっている。
【００１９】
また、図２に示すように、書見台１の背面側の中央部にホルダー２が設けられている。具体的には、ホルダー２は、書見台背板９の背面に設けられている。図６に示すように、ホルダー２は、平板状の基台部２０と、基台の中央部に設けられた半円柱形状の突起部２１とで構成されている。ホルダー２には、突起部２１を左右方向に貫通する装着孔３が設けられている。また、ホルダー２は、書見台背板９の背面に設けられているため、書見台側板１０と書見台側板１１との成す角度が１８０度を大きく超えないように、書見台側板１０および書見台側板１１の回動を抑制する回動抑制部としても機能する。
【００２０】
次に、読書スタンド１００が備えるスタンド４の構成例を説明する。図１から図３に示すように、スタンド４は、主軸部５と、接続部６と、ベース１６と、ベース軸１７と、ジョイント１８とを備えている。ベース１６は、円形上の平板で形成され、ベース軸１７と接続された主軸部５を読書スタンド１００の設置面（床面等）に対して安定して支持する。これにより、スタンド４は設置面に対して自立可能に構成されている。なお、ベース１６の形状は、円形上の平板に限られない。例えば、ベース１６は三脚であってもよい。ベース軸１７は、ベース１６の中央付近から立ち上がるように垂直に延伸して設けられている。ベース軸１７の先端には、ジョイント１８が設けられている。主軸部５とベース軸１７とは、ジョイント１８において締め付けネジ１９で固定されている。図１に示す両方向矢印で示すように、主軸部５は、締め付けネジ１９を緩めた状態でベース軸１７に抜き差しすることで、上下に伸縮可能に構成されている。
【００２１】
図７に示すように、主軸部５の上部には、接続部６が設けられている。接続部６の底部から二手に分かれた対向板の上部には、それぞれ装着孔７が設けられている。図３に示すように、書見台１とスタンド４とは、書見台１のホルダー２に設けられた装着孔３と、スタンド４の接続部６に設けられた装着孔７に通した角度調節ネジ８で連結されている。
【００２２】
より具体的には、接続部６の対向板でホルダー２を挟み込み、装着孔７と装着孔３の位置を合わせて角度調節ネジ８で接続部６とホルダー２とが連結されている。これにより、ホルダー２は、接続部６に対して回動可能に連結される。ホルダー２と接続部６とが角度調節ネジ８で連結されることで、書見台１は、スタンド４に懸架される。このため、接続部６は、書見台１をスタンド４に懸架するための懸架部の機能を有する。
【００２３】
角度調節ネジ８は、一般的な譜面台において、譜面置きの傾斜角度を調節するネジと同等の構成を有している。例えば、角度調節ネジ８は、雄ネジ部品としてのボルトと雌ネジ部品としてのナットにより構成されている。なお、図２では、雌ネジ部品（ナット）の図示は省略している。これにより、ホルダー２と接続部６と角度調節ネジ８とは、書見台１の書見台背板９と読書スタンド１００の設置面との成す角度θ１を略８０度から略１８０度まで任意に調節可能な角度可変ユニットを構成する。角度可変ユニットは、ホルダー２の装着孔３と接続部６の装着孔７とにボルトを挿通し、ナットで締め付けることで、ホルダー２と接続部６とを固定して角度θ１を維持できる。また、角度可変ユニットは、ナットでのボルトの締め付けを緩めることで、角度θ１を任意の角度に調節できる。角度調節ネジ８は、使用者が手で容易に緩締できることが望ましい。このため、角度調節ネジ８は、例えば蝶ボルトと蝶ナットや、グリップボルトとグリップナット等で構成されている。
【００２４】
図３では、読書スタンド１００の設置面と平行な仮想直線Ａ−Ａ´によって、角度θ１が略９０度となっている状態の読書スタンド１００を図示している。なお、角度θ１を図３に示す角度よりも小さくするように書見台背板９を回動させていくと、角度θ１が略８０度になる時点で書見台側板１０，１１および底板１４、１５が接続部６と接触し、書見台背板９の回動が抑制される。
【００２５】
以上説明したように、本考案による書見台１は、平板状に形成された左右一対の書見台側板１０，１１と、左右一対の書見台側板の間に配置された書見台背板９と、左右一対の書見台側板１０、１１と前記書見台背板９とを連結する一対のヒンジ１２，１３とを備え、一対のヒンジ１２，１３は、左右一対の書見台側板の一方（書見台側板１０）と他方（書見台側板１１）との成す角度を任意に調節可能に構成されている。これにより、本考案による書見台１は、読書の際に書見台１に見開き状態で置いた書籍の見開き角度を任意に調節することができる。これにより、ページ押さえを用いることなく書籍を自然に開いた状態に保つことができる。
【００２６】
また、本考案による読書スタンド１００は、書見台１と、書見台１の書見台背板９と連結されて書見台１を懸架する接続部６を有するスタンド４と、書見台１における書見台背板９の背面側と接続部６とを角度調節ネジ８で連結することにより、書見台背板９とスタンド４の設置面との成す角度を調節可能に構成された角度調節機構と、を備える。これにより、本考案による読書スタンド１００は、読書の際に書見台１に見開き状態で置いた書籍の見開き角度と、見開き状態の書籍の背表紙と読書スタンド１００の設置面（床面）との成す角度とを個別にまたは同時に、自在に調節できる。
【産業上の利用可能性】
【００２７】
本考案により、書籍の形態や人の位置や姿勢等の多様な状況に対応して書籍を閲覧できる書見台及び読書スタンドを提供できる為、極めて有用である。
【符号の説明】
【００２８】
１  書見台
２  ホルダー
３、７  装着孔
４  スタンド
５  主軸部
６  接続部
８  角度調節ネジ
９  書見台背板
１０、１１  書見台側板
１２、１３  ヒンジ
１４、１５  底板
１６  ベース
１７  ベース軸
１８  ジョイント
１９  締め付けネジ
１００  読書スタンド
【図１】
0003204688.tif 000003
【図２】
0003204688.tif 000004
【図３】
0003204688.tif 000005
【図４】
0003204688.tif 000006
【図５】
0003204688.tif 000007
【図６】
0003204688.tif 000008
【図７】
0003204688.tif 000009